(57)【特許請求の範囲】
【請求項１】
無段変速機で用いられるような駆動ベルト（６）用の横断セグメント（１０）を基本材料（５０）からファインブランキングするための、８つの打抜きステーション（ＢＳ１〜ＢＳ８）を有するファインブランキング装置（６０）であって、前記打抜きステーション（ＢＳ１〜ＢＳ８）にはそれぞれ少なくとも、切断パンチ（３０）と、その反対側に配置された対向パンチ（４０）と、少なくとも該対向パンチ（４０）を内部に含む打抜き型（８０）とが設けられている、ファインブランキング装置（６０）において、
前記８つの打抜きステーション（ＢＳ１〜ＢＳ８）は互いに平行な４つの列に設けられていて、これら４つの列はそれぞれ、前記８つの打抜きステーション（ＢＳ１〜ＢＳ８）のうちの２つの打抜きステーションを含み、
前記４つの列の最も外側の２つの列のうちの一方に設けられた前記２つの打抜きステーション（ＢＳ１，ＢＳ２）は、前記４つの列の最も外側の２つの列のうちの他方に設けられた前記２つの打抜きステーション（ＢＳ３，ＢＳ４）の反対側に設けられていて、
前記４つの列の最も内側の２つの列のうちの一方に設けられた前記２つの打抜きステーション（ＢＳ５，ＢＳ６）は、前記４つの列の最も内側の２つの列のうちの他方に設けられた前記２つの打抜きステーション（ＢＳ７，ＢＳ８）の反対側に設けられていて、
前記４つの列の最も外側の２つの列に設けられた４つの前記打抜きステーション（ＢＳ１〜ＢＳ４）と、前記４つの列の最も内側の２つの列に設けられた４つの前記打抜きステーション（ＢＳ５〜ＢＳ８）とは、前記４つの列の長手方向で互いにずらされて設けられていることを特徴とする、ファインブランキング装置（６０）。
【請求項２】
前記ファインブランキング装置により形成すべき前記横断セグメント（１０）は、前記４つの列の長手方向に対して垂直方向で非対称的に形成されており、さらに、互いに反対側に設けられた打抜きステーションの各対は、互いに鏡像を成す向きで設けられている、請求項１記載のファインブランキング装置（６０）。
【請求項３】
前記４つの列の最も外側の２つの列のうちの一方に設けられた前記２つの打抜きステーションの各セット（ＢＳ１，ＢＳ２；ＢＳ３，ＢＳ４）は、前記４つの列の最も内側の２つの列のうちの直接隣接する方の列に設けられた前記２つの打抜きステーション（ＢＳ５，ＢＳ６；ＢＳ７，ＢＳ８）の各セットに対してそれぞれ鏡像を成す向きで設けられている、請求項１又は２記載のファインブランキング装置（６０）。
【発明の詳細な説明】
【技術分野】
【０００１】
本開示は、プッシュベルトとして公知の駆動ベルトの形式の、無段変速機用の特別な形式の駆動ベルトのための横断セグメントをファインブランキングするためのファインブランキング装置に関する。プッシュベルトには、通常互いに重ねられた平らで柔軟な複数の金属リングから成るセットを有する少なくとも１つの無端キャリアエレメントと、複数の横断セグメントとが設けられていて、これらの横断セグメントは、無端キャリアエレメントの周方向に沿ったほぼ連続的な１つの列をなしてプッシュベルトに組み込まれている。少なくとも、一般的には駆動ベルトの半径方向に相当する横断セグメントの高さ方向で見て、横断セグメントは非対称的な形状である。必ずしもというわけではないが、特に、正面図で見て、横断セグメントは、ほぼ台形の底部と、ほぼ長方形の中央部分と、ほぼ三角形の上側部分とを有している。このような形式の駆動ベルトは一般に公知である。
【０００２】
さらに、欧州特許出願公開第１６９２４１４号明細書により、基本材料のストリップから横断エレメントを形成する、即ち形づくり、切り抜く製造方法が公知である。このような特別な形成法は、ファインブランキング法として公知である。ファインブランキング法及びファインブランキング装置は、打抜き型と切断パンチとの間で比較的小さい切断クリアランスを使用することにより、かつ、切断パンチに対して、切断パンチの反対側でストリップに向かって位置している対向パンチを使用することにより、特徴付けることができる。横断エレメントの実際の打抜き中、切断パンチと対向パンチとは、打抜き型と板抑えとの間に挟むことにより固定されたストリップの周囲部分に対して相対的に、ストリップの厚さ方向で同時に動く間に、横断エレメントとなる予定の基本材料のストリップの部分に大きな圧力をかける。このようにして横断エレメントがストリップの前記周囲部分から分離された後、横断エレメントはファインブランキング装置から取り出される。さらに、基本材料のストリップは、切断パンチと対向パンチとの間にある基本材料を更新するために、ファインブランキング装置に対して相対的に前進させられる。
【０００３】
このような公知のファインブランキング法とファインブランキング装置とは、比較的滑らかで精密な切断周面を有する横断セグメントを提供するためにだけではなく、高精度の横断セグメントの主本体面を同時に形成し、調整するためにも用いられる。特に、この後者の点に関して、横断セグメントの一方の主本体面の一部に凸状の湾曲が設けられる。この凸状に湾曲された面部分は、駆動ベルトにおいて隣接する横断セグメントが、相互接触を維持しながら互いに相対的に回転できるようにするために機能し、しばしば揺動縁部と言われる。
【０００４】
ファインブランキング装置の生産率を向上させるために、ファインブランキング装置内に複数の打抜きステーションを設けることが公知であり、これらの打抜きステーションはそれぞれ切断パンチと対向パンチとを有している。ファインブランキング装置の打抜きステーションは共同で操作され、この場合、ファインブランキング装置の１打抜き行程当たり、複数の横断セグメントが形成される、即ちファインブランキングされる。この形成される横断セグメントの数は装置の打抜きステーションの数に相当する。ファインブランキング装置のいくつかの打抜きステーションは平行に、基本材料のストリップの幅方向で互いに離されて配置されてよいことは明白であり、当然ながら、ストリップは、これら打抜きステーションを受容できる程度に十分幅が広く、かつ／又は２つ又は複数の基本材料のストリップが、打抜きステーションに平行に供給される。例えば２つの隣接する打抜きステーションの各対のために１つのストリップが供給され、即ち全部で４つのストリップが供給される。選択的には、このような打抜きステーションのいくつかは、基本材料のストリップの長さに沿って連続的に配置されてよく、当然ながら、各打抜き行程後には、基本材料のストリップを、連続的に配置された打抜きステーションの数に対応する距離を超えるように前進させる。
【０００５】
欧州特許出願公開第１６９２４１４号明細書には、ファインブランキング装置の４つの打抜きステーションの特殊な配置の２つの例が記載されている。４つの打抜きステーションの第１の配置では、横断セグメントを形成するのに必要な基本材料量が最小にされ、第２の配置では、ファインブランキングされた横断セグメントの形状及び／又はサイズの精度が最良のものとなる。この後者の第２の公知の配置では、打抜きステーションは２つの対として設けられていて、この場合、打抜きステーションは、基本材料のストリップの中心線に関して互いに鏡像を成す位置となるように向けられている。この特別な配置は、ストリップに加えられる横方向の力が、前記互いに鏡像を成す打抜きステーションの間で互いに打ち消し合うという利点を有している。
【０００６】
公知のファインブランキング装置の１打抜き行程当たりの収量は、ファインブランキング装置の前記４つの打抜きステーションにより制限されている。即ち、ファインブランキング装置の１打抜き行程ごとに４つの横断セグメントが製造される、形成される、ファインブランキングされる。さらに、例えば、１分間に行われる打抜き行程の数により表されるファインブランキング装置の打抜き行程率も同様に制限されていることに留意されたい。特に、横断セグメントが基本材料から切断され、切断パンチと対向パンチとの間で形づくられた後にさらに、ファインブランキング装置の内側から取り外されなければならない。このために：
切断パンチと板抑えとは対向パンチと打抜き型とからそれぞれ離されて、
対向パンチは、打抜き型に対して相対的に打抜き型の後方へと上昇させられ、
横断セグメントは対向パンチから取り外され、ファインブランキング装置の外側に置かれる。
【０００７】
この最後のステップについては、横断セグメントに吹き付けて対向パンチから離すために（圧縮）空気流を用いること、又はファインブランキング装置の内外で動かされる磁気的ピックアップをファインブランキング装置の開閉と協調させて用いることが公知である。いずれの場合も、ファインブランキング装置から横断セグメントを取り外すこれらの操作ステップは、ファインブランキング装置の行程率を（さらに）向上させることに関しては制限要素である。
【０００８】
本開示は、公知のファインブランキング装置及び公知のファインブランキング法を、特にその生産率の点で、とりわけ、駆動ベルトの横断セグメント構成部分のファインブランキングに関して改良することを課題としている。本開示によれば、前記課題は、以下の請求項１によるファインブランキング装置により達成される。このような新規のファインブランキング装置は、８つの打抜きステーションを有しており、これらの打抜きステーションはそれぞれ、互いに協働する切断パンチと対向パンチを有しており、このようなファインブランキング装置の１行程で形成されるファインブランキングされた８つ全ての横断セグメントのサイズ及び形状の精度と一貫性に有利であるような特定の相互パターンで配置されている。このような新規のファインブランキング装置は、４つの打抜きステージしか有していない公知のファインブランキング装置よりも著しく高い、理想的には２倍まで高い生産率を有するであろうことは明白である。しかしながら、新規のファインブランキング装置の別の側面は、基本材料の高利用率、高度な形状精度、横断セグメントの形状に関する一貫性といった利点を組み合わせている点にある。これらの有利な特徴は、それ自体公知ではあるが、公知のファインブランキング装置では互いに異なる２つの配置としてしか実現できていなかった。
【０００９】
本開示によれば、８つの打抜きステーションが、それぞれ２つの打抜きステーションを有する４つの平行な列に設けられていて、この場合、；
これら４つの平行な列の最も外側の２つの列の２つの打抜きステーションは、基本材料の進行方向に関して、即ち、基本材料の中心線に関して、これらの列の間で互いに反対側に配置されていて；
これら４つの平行な列の最も内側の２つの列の２つの打抜きステーションは、基本材料の進行方向に関して、これらの列の間で互いに反対側に配置されていて；さらに、
最も外側の２つの列の４つの打抜きステーションは、最も内側の２つの列の４つの打抜きステーションに対して、基本材料の進行方向でずらされている。
【００１０】
８つの打抜きステーションの上記配置は、基本材料の高利用率、高度な形状精度、横断セグメントの形状に関する一貫性、１打抜き行程につき８つの横断セグメントという高生産率又は高収量といった利点を組み合わせている。
【００１１】
好適には上記配置において、最も外側の列と最も内側の列の打抜きステーションは、これらの列の間で互いに反対側に配置されているだけではなく、基本材料の進行方向に関して鏡像を成すように、即ち互いの鏡像となるように配置されている。
【００１２】
好適には上記配置において、各列の２つの打抜きステーションは互いに直接隣接して位置しているのではなく、基本材料における２つの打抜き位置の幅分だけ、即ち横断セグメントが基本材料から打ち抜かれた、又は打ち抜かれる予定の２つの位置の幅分だけ隔てられている。この後者の特徴により、これらの打抜き位置を互いにより近付けることができる。何故ならば、打抜きステーションに必要なスペースは、これにより形成される横断セグメントよりも大きいからであり、即ち、打抜き位置の最小サイズよりも大きいからである。これにより、利用可能な基本材料がより効率的に使用される。
【００１３】
同様の考え方は、前記最も外側の列及び前記最も内側の列の打抜きステーションの相互配置にも適用できる。これらの打抜きステーションは、原則的に、打抜き位置の幅の半分分だけ互いにずらされて配置されていればよいとはいえ、このような相互のずれが、打抜き位置の幅の少なくとも１．５倍に相当する場合、これらの打抜き位置は、実際には、互いにより近付けることができ、これにより、特別な打抜き位置を伴う打抜きステーション（の構造）は、すぐ近くの打抜き位置の上方のスペースも占めることができる。
【００１４】
８つの打抜きステーションの上述した新規配置のうちいずれか１つには、基本材料の１つの幅広のストリップ又は、４つの打抜きステーションの従来の配置において使用される幅とほぼ同じ幅を有する平行な２つの基本材料のストリップを供給することができることを補足しておく。
【００１５】
本開示にはさらに、ファインブランキング装置からの横断セグメントの取り外しについて記載されている。上述したように、このような除去は、ファインブランキング装置によって達成される打抜き行程率を制限する。本開示によれば、横断エレメントは打ち抜かれた直後に取り外されるのではなく、最初は、基本材料と共に各打抜きステーションの外側まで搬送され、その後初めて、ファインブランキング装置の８つの打抜きステーションの１つにおいて取り外される。このような取外しステーションはそれぞれ、各打抜きステーションを伴っている。好適には、ファインブランキング装置のこのような配置では、横断セグメントは、打抜きステーションにおいて基本材料から完全に切り離されるのではなく、ファインブランキング装置に対して相対的な基本材料の前進による横断セグメントの搬送を容易にするために、このような横断セグメントの周囲と基本材料との間に接続タブが残されている。次いで、取り外しステーションで、例えば取り外しステーションの取り外しパンチによって接続タブが切断され、横断セグメントは基本材料から解放される。
【００１６】
以下に、より詳細な説明が、図示した実施態様により提供される。
【図面の簡単な説明】
【００１７】
【図１】無段変速機用の駆動ベルトの横断セグメントを示した正面図である。
【図２】図１に示された横断セグメントの側面図である。
【図３】ファインブランキング装置の打抜きステーションを、ここに挿入された基本材料と共に断面として図式的に示した図である。
【図４】打抜きステーションの基本操作を図式的に示した図である。
【図５】このようなファインブランキング装置で使用される基本材料のストリップの平面図に基づき、駆動ベルトの横断セグメントを打ち抜くファインブランキング装置における４つの打抜きステーションの第１の公知の配置を示した図である。
【図６】このようなファインブランキング装置で使用される基本材料のストリップの平面図に基づき、駆動ベルトの横断セグメントを打ち抜くファインブランキング装置における４つの打抜きステーションの第２の公知の配置を示した図である。
【図７】このようなファインブランキング装置で使用される基本材料のストリップの平面図に基づき、駆動ベルトの横断セグメントを打ち抜くファインブランキング装置における８つの打抜きステーションの新規の配置を示した図である。
【図８】このようなファインブランキング装置で使用される基本材料のストリップの平面図に基づき、駆動ベルト等の横断セグメントを打ち抜くために使用されるような８つの打抜きステーションと８つの取り外しステーションとを含む新規のファインブランキング装置を示した図である。
【００１８】
図面全体にわたって、対応する構造エレメントは、同じ参照符号が付与されている。
【００１９】
図１には、無段変速機での使用に適し、それを意図した公知の形式の駆動ベルト６の断面図が示されており、この駆動ベルト６は２つの可変プーリの間で駆動力を伝えるために、これら２つの可変プーリの周りに巻き付けられるもので、これらプーリのプーリシーブの間にクランプされ、これらのプーリシーブに摩擦接触する。公知の駆動ベルト６は２つの無端キャリア７を有していて、これらの無端キャリア７は、互いに重ねられた連続的な複数の帯又はリング８の束から成っている。横断セグメント１０はキャリア７上に配置されていて、キャリア７はその全周に沿ってほぼ連続的な列を形成している。横断セグメント１０は、少なくともキャリア７の周方向で、無端キャリア７に対して可動に設けられている。図２には、横断セグメント１０の側面図が示されている。
【００２０】
変速機の外側で円形状に配置されている場合の駆動ベルト６の半径方向に相当する鉛直方向で、横断セグメント１０は、順に、ほぼ台形状のベース部分１３と、比較的狭い中央部分１４と、ほぼ三角形状の上側部分１５とを有している。駆動ベルト６では、駆動ベルト６のキャリア７が、中央部分１４の両側に、即ち、横断セグメント１０のベース部分１３と上側部分１５との間に配置されている。
【００２１】
横断セグメント１０のベース部分１３の周面１６，１７は２つの支持面１６を有していて、これらの支持面１６は、中央部分１４の両側に１つずつ配置されており、各支持面１６は、２つの無端キャリア７のそれぞれ１つを半径方向外側で支持するために使用される。さらに、ベース部分１３の周面１６，１７は、２つの接触面１７を有していて、これらの接触面１７は横断セグメント１０の各軸方向面に１つずつ配置されており、各接触面１７は、横断セグメント１０がプーリ４，５上で動くときに、プーリ４，５のシーブに接触する。
【００２２】
横断セグメント１０の前面側の主面は概して参照符号１１によって示されているのに対し、横断セグメント１０の背面側の主面は概して参照符号１２によって示されている。横断セグメント１０のベース部分１３における前面側の主面１１に傾動縁部１８が設けられている。傾動縁部１８は前面側の主面１１の凸状に曲げられた領域として示されていて、この領域は前記前面側の主面１１を２つの部分に分けている。これら２つの部分は互いに所定の角度をなして方向付けられていて、横断セグメント１０の全（軸方向）幅に沿って延在している。傾動縁部１８は、支持面１６の近くに位置しているが、支持面１６の下方に、即ち半径方向内側に幾分距離を置いて位置している。傾動縁部１８の重要な機能は、プーリ４，５で、前記横断セグメント１０が互いに傾斜された位置にあるとき、隣接する横断セグメント１０間に相互のプッシュ接触を行わせることである。
【００２３】
傾動縁部１８の下方に所定の距離を置いたところに、即ち、横断セグメント１０のベース部分１３で、横断セグメント１０の前面側の主面１１に段部２０が形成されている。段部２０は、横断セグメント１０の厚さの局所的な、即ち段階的な変更部を表している。従って横断セグメントの厚さは、このような段部２０の下方では段部２０の上方よりも薄くなっている。
【００２４】
さらに、横断セグメント１０の前面側の主面１１には突出部２１が設けられている。図示した例では、突出部２１は、上側部分１５に配置されており、その位置は背面側の主面１２に設けられた僅かに大きい穴に対応している。図２にはその穴が点線で示されており、符号２２が付与されている。駆動ベルト６においては、横断セグメント１０の突出部２１は、少なくとも部分的に、隣接する横断セグメント１０の穴２２の内側に配置されている。突出部２１および対応する穴２２は、駆動ベルト６の周方向に対して垂直な平面における、隣接する横断セグメント１０の相互移動を阻止するように又は少なくとも制限するように機能する。
【００２５】
横断セグメント１０は通常、ファインブランキング装置６０による打抜き法で、板状の基本材料５０から切り抜かれ、形を規定される。図３及び図４では、ファインブランキング装置６０と基本材料５０とが図式的に断面図で示されている。ファインブランキング装置６０では、切断パンチ３０と、対向パンチ４０と、板抑え７０と、打抜き型８０とが使用される。板抑え７０と打抜き型８０とはこれらの間に基本材料５０を挟み込むために、かつ切断パンチ３０と対向パンチ４０とを板抑え７０及び打抜き型８０の各ガイドスペース７１，８１内に保持するために機能する。切断パンチ３０と対向パンチ４０との間に位置する基本材料５０の部分５１は、横断セグメント１０となるように予定された部分である。
【００２６】
図４に示したように、実際の切断中、切断パンチ３０の底面又は作用面３１と、対向パンチ４０の上面又は作用面４１とは、基本材料５０の互いに反対側で基本材料５０に対してプレスされ、切断パンチ３０から対向パンチ４０への一般的な方向で基本材料５０を完全に貫通するように同時に押されて、横断セグメント１０を切り抜く。
【００２７】
図４に示した実線の矢印Ｐは、横断セグメント１０の打抜き中に切断パンチ３０と対向パンチ４０との間で基本材料５０にかけられる圧力を表しており、この圧力により、横断セグメント１０の主面１１，１２が形成される。さらに、点線矢印Ｍで示したように、切断パンチ３０と対向パンチ４０とは、特に打抜き型８０に対して相対的に同時に動かされ、これにより基本材料５０には切断パンチ３０が貫通し、基本材料５０から横断セグメント１０が切り抜かれる。従って、前記作用面３１，４１は、横断セグメント１０の外側輪郭にほぼ対応するアウトラインを有しており、さらに、これによってそれぞれ形成される横断セグメント１０の主面１１，１２の輪郭に対応する面輪郭を有している。
【００２８】
図３及び図４には１セットの切断パンチ３０と対向パンチ４０しか示されていないが、収量を増大させるために、即ち１つの打抜き行程において複数の製品５１又は横断セグメント１０を同時に獲得するために、１つのファインブランキング装置６０において数セットの切断パンチ３０と対向パンチ４０が設けられているのが一般的である。このセットは今後、打抜きステーションと記載する。図５には、このような４つの打抜きステーションＢＳ１〜ＢＳ４の典型的な配置が、基本材料５０の平面図により示されていて、この基本材料５０においては、同時に形成される複数の横断セグメント１０が黒色で示されている。図５では輪郭線１１により、先行する打抜き行程でストリップ５０から既に打ち抜かれた横断セグメント１０の位置が示されている。さらに図５では、点線５２により、ストリップ５０に設けられる段部の厚さが示されており、これは横断セグメント１０の前面側の主面１１に設けられる段部２０に対応しており、段部２０を予め規定している。
【００２９】
図５では、４つの打抜きステーションＢＳ１〜ＢＳ４が２列で設けられており、これらの列はそれぞれ２つの打抜きステーションＢＳ１〜ＢＳ２、ＢＳ３〜ＢＳ４を含んでいる。従って、ファインブランキング装置６０の各打抜き行程後に、基本材料５０は、その各列における２つの打抜きステーションＢＳ１〜ＢＳ２、ＢＳ３〜ＢＳ４の間の距離の２／３に相当する距離にわたって（矢印Ｍにより示されたように）右に向かって前進させられる。図５に示した配置では、各列における２つの打抜きステーションＢＳ１〜ＢＳ２、ＢＳ３〜ＢＳ４は、基本材料５０の進行方向Ｍで互いにずらされているので、これにより打抜きステーションのこれら２つの列ＢＳ１〜ＢＳ２、ＢＳ３〜ＢＳ４は、基本材料５０の幅方向で、即ち基本材料５０の前記進行方向Ｍに対して垂直方向で、所定の延在だけオーバーラップすることができる。このような形式で、特に、底部部分１３よりも幅の狭い上側部分１５を有する横断エレメント１０の形状に関して、最適な利用が基本材料５０により形成される。
【００３０】
図６には、４つの打抜きステーションＢＳ１〜ＢＳ４の選択的な公知の配置が、同じく基本材料５０の平面図により示されていて、この基本材料５０においては、同時に形成される複数の横断セグメント１０が黒色で示されている。図５と同様に、図６の４つの打抜きステーションＢＳ１〜ＢＳ４は２列で設けられており、これらの列はそれぞれ２つの打抜きステーションＢＳ１〜ＢＳ２、ＢＳ３〜ＢＳ４を含んでいる。しかしながら打抜きステーションＢＳ１〜ＢＳ４のこの特殊な配置では、２つの打抜きステーションＢＳ１〜ＢＳ２、ＢＳ３〜ＢＳ４は、基本材料の進行方向Ｍに関して互いに反対側に配置されていて、即ち、基本材料５０の中心線に関して鏡像対称的である。このような形式では、基本材料５０の幅方向で、特に切断パンチ３０によって加えられる力が、互いに反対側の打抜きステーションＢＳ１とＢＳ３及びＢＳ２とＢＳ４の間で互いに相殺される。これにより、ファインブランキングされた横断セグメント１０の形状及び／又はサイズの最良の精度が得られる。
【００３１】
図７には、本開示による８つのステーションＢＳ１〜ＢＳ８の新規の配置が、同じく基本材料５０の平面図により示されていて、この基本材料５０においては、同時に形成される複数の横断セグメント１０が斜線で示されている。８つの打抜きステーションＢＳ１〜ＢＳ８は、それぞれ２つの打抜きステーションを有する４つの平行な列に設けられている。これら４つの平行な列の最も外側の２つの列の打抜きステーションＢＳ１〜ＢＳ４は、基本材料５０の進行方向Ｍに関して互いに反対側に配置されていて、即ち、基本材料５０の中心線に関して鏡像対称的である。同様に、これら４つの平行な列の最も内側の２つの列の打抜きステーションＢＳ５〜ＢＳ８は、基本材料５０の中心線に関して互いに反対側に配置されている。最も外側の２つの列の４つの打抜きステーションＢＳ１〜ＢＳ４は、最も内側の２つの列の４つの打抜きステーションＢＳ５〜ＢＳ８に対して、基本材料５０の進行方向Ｍでずらされている。８つの打抜きステーションＢＳ１〜ＢＳ８のこのような新規の配置は、基本材料５０の高利用率、横断セグメント１０の高度な形状精度、形状に関する一貫性、１打抜き行程につき８つの横断セグメント１０という高生産率又は高収量といった利点を組み合わせている。
【００３２】
さらに、図７の新規のブランキング装置６０の８つの打抜きステーションＢＳ１〜ＢＳ８の配置においては、各列の２つの打抜きステーション、即ち、打抜きステーションＢＳ１とＢＳ２、ＢＳ３とＢＳ４、ＢＳ５とＢＳ６、ＢＳ７とＢＳ８はそれぞれ、基本材料５０の進行方向Ｍで互いに直接隣接して配置されているのではなく、基本材料における打抜き位置の幅ＢＰの２倍分だけ、即ち基本材料５０の長さの２倍分だけ互いに離されていて、これにより個々の横断セグメント１０それぞれを基本材料５０から効果的に打ち抜くことができる。その結果、各打抜きステーションＢＳ１〜ＢＳ８のために利用可能なスペースＳＢＳは、少なくとも打抜き位置の幅という意味ではこのような打抜き位置のサイズよりも有利には大きい。このような理由のためにも、前記最も外側の列の打抜きステーションＢＳ１〜ＢＳ４と前記最も内側の列の打抜きステーションＢＳ５〜ＢＳ８とは、基本材料５０の進行方向Ｍで、打抜き位置の幅の１．５倍分だけ互いにずらされている。
【００３３】
さらに、図７の右側には、基本材料５０の断面形状、即ち厚さプロフィールが示されている。基本材料５０にはその厚さにおいて４つの段部５２が設けられていることが示されており、このような段部５２はそれぞれ、横断セグメント１０の前面側の主面１１における段部２０を予め規定しており、新規のブランキング装置６０のそれぞれ２つの打抜きステーションを有する前記４つの列のうちのそれぞれ１つの列に関連している。しかしながらさらに、本開示によれば、基本材料５０には、基本材料５０の前記進行方向Ｍにおいて延在する隆起部５３の形のマーカ５３が設けられていて、このマーカ５３は、ブランキング装置６０によって、特にブランキング装置６０のストリップアライメント手段によって、ブランキング装置６０の前記打抜きステーションＢＳ１〜ＢＳ８に対して基本材料５０をアライメントするために、特に中心合わせするために利用することができる。基本材料５０に適用することができる選択的なマーカ５３は、このような観点で容易に想像でき、溝又は基本材料５０の厚さを貫通して延在する複数の穴のようなものが考えられる。これらのマーカ５３は、好適には基本材料５０の中心線上に設けられる。何故ならばこの位置では、打抜きステーションＢＳ５〜ＢＳ８の最も内側の２つの列にある打抜きステーションＢＳ５とＢＳ７、もしくはＢＳ６とＢＳ８が基本材料の中心線の両側で互いに直接反対側に設けられているので、また、これらそれぞれ反対側に配置された打抜きステーションＢＳ５〜ＢＳ８は、それぞれ協働する打抜き位置の最小サイズよりも大きなスペースＳＢＳを必要とするので、基本材料５０が未使用で残されるからである。
【００３４】
図８には、本開示による８つのステーションＢＳ１〜ＢＳ８の配置の選択的な態様が、同じく基本材料５０の平面図により示されている。この場合も、ブランキング装置６０には、濃い斜線によりマークした横断セグメント１０により示されたように、それぞれ２つの打抜きステーションを有する４つの平行な列に配置された８つの打抜きステーションＢＳ１〜ＢＳ８が設けられている。しかしながらこの選択的な態様では、ブランキング装置６０はさらに８つの取外しステーションＲＳ１〜ＲＳ８も有しており、各取外しステーションＲＳ１〜ＲＳ８はそれぞれ打抜きステーションＢＳ１〜ＢＳ８と協働する。このブランキング装置では、横断エレメント１０は、各打抜きステーションＢＳ１〜ＢＳ８によって、各打抜きステーションＢＳ１〜ＢＳ８で打ち抜かれたらすぐに取り外されるのではなく、これらの横断エレメント１０は、ファインブランキング装置の取外しステーションＲＳ１〜ＲＳ８まで、基本材料５０の前記進行方向Ｍで基本材料５０と共に搬送される。図８に示されたように、取外しステーションＲＳ１〜ＲＳ８は好適には、横断エレメント１０が基本材料５０と共に搬送される距離を好適に最小にするために基本材料５０の前記進行方向Ｍで打抜きステーションＢＳ１〜ＢＳ８の間に配置されている。
【００３５】
図７及び図８には、８つの打抜きステーションＢＳ１〜ＢＳ８の新規の配置が、基本材料５０の１つのストリップに関して示されていることを述べておく。しかしながらこの文脈及び本開示の範囲では、基本材料の２つの平行なストリップを適用することも可能である。この場合、このような平行なストリップのうち第１のものは、第１組の４つの打抜きステーションＢＳ１、ＢＳ２、ＢＳ５、ＢＳ６に供給され、このような平行なストリップのうち第２のものは、第２組の（残りの）４つの打抜きステーションＢＳ３、ＢＳ４、ＢＳ７、ＢＳ８に供給される。
【図１】
0006602768.tif 000002
【図２】
0006602768.tif 000003
【図３】
0006602768.tif 000004
【図４】
0006602768.tif 000005
【図５】
0006602768.tif 000006
【図６】
0006602768.tif 000007
【図７】
0006602768.tif 000008
【図８】
0006602768.tif 000009